(57)【要約】【課題】電源ブレーカーの端子数に余裕がなくとも、簡単な作業で、交換前のＰＣＳから交換後のＰＣＳへのデータ複製作業を行えるようにする。【解決手段】電力変換部３と該電力変換部３の動作を制御する制御部４とを備え、該制御部４は書き換え可能不揮発性メモリ５２と電源入出力端子５ｂと通信端子６５ａとを備えるパワーコンディショナにおいて、制御部４は、電源入出力端子５ｂを介して電源供給している他のパワーコンディショナ１Ｂの制御部４と通信端子６５ａを介して通信することにより、他のパワーコンディショナの不揮発性メモリ５２に記憶されたデータを自機の不揮発性メモリ５２に複製記憶するよう構成する。【選択図】図４
2016046968.tif 000002
【特許請求の範囲】
【請求項１】
電力変換部と該電力変換部の動作を制御する制御部とを備え、該制御部はメイン基板とサブ基板とを備え、メイン基板及びサブ基板にはそれぞれマイコンが実装され、メイン基板のマイコンは書き換え可能不揮発性メモリを備えるパワーコンディショナにおいて、
メイン基板からサブ基板に電源を供給する電源供給配線と、両基板のマイコン同士を通信可能に接続する通信配線とをさらに備え、メイン基板には前記電源供給配線及び前記通信配線が着脱自在に接続されるコネクタが設けられており、
前記電源供給配線及び前記通信配線を前記コネクタから外して該コネクタと他のパワーコンディショナのメイン基板のコネクタとを配線接続した状態で、前記メイン基板から他のパワーコンディショナのメイン基板に電源供給可能となるとともに両メイン基板のマイコン同士が通信可能となり、メイン基板のマイコンは、電源を供給される側であるとき前記不揮発性メモリに記憶されたデータを電源供給する側のメイン基板のマイコンに送信する機能と、電源を供給する側であるとき電源を供給される側のメイン基板のマイコンから前記データを受信して前記不揮発性メモリに記憶する機能を具備していることを特徴とするパワーコンディショナ。
【請求項２】
電力変換部と該電力変換部の動作を制御する制御部とを備え、該制御部はメイン基板とサブ基板とを備え、メイン基板及びサブ基板にはそれぞれマイコンが実装され、メイン基板のマイコンは書き換え可能不揮発性メモリを備えるパワーコンディショナにおいて、
メイン基板からサブ基板に電源を供給する電源供給配線と、両基板のマイコン同士を通信可能に接続する通信配線とをさらに備え、メイン基板及びサブ基板には前記電源供給配線及び前記通信配線が着脱自在に接続されるコネクタがそれぞれ設けられており、
サブ基板のマイコンは、メイン基板の前記不揮発性メモリに記憶されたデータのコピーを記憶保持可能な書き換え可能不揮発性メモリを備え、
メイン基板のマイコンは、メイン基板の前記不揮発性メモリに記憶されたデータをサブ基板のマイコンに送信する機能を具備し、サブ基板のマイコンは、メイン基板のマイコンから前記データを受信してサブ基板の前記不揮発性メモリに記憶する機能を具備し、
さらに、サブ基板のマイコンは、サブ基板の前記不揮発性メモリに記憶されたデータをメイン基板のマイコンに送信する機能を具備し、メイン基板のマイコンは、サブ基板のマイコンから前記データを受信してメイン基板の前記不揮発性メモリに記憶する機能を具備することを特徴とするパワーコンディショナ。
【請求項３】
電力変換部と該電力変換部の動作を制御する制御部とを備え、該制御部は書き換え可能不揮発性メモリと電源入出力端子と通信端子とを備えるパワーコンディショナにおいて、前記制御部は、前記電源入出力端子を介して電源供給している他のパワーコンディショナの制御部と前記通信端子を介して通信することにより、他のパワーコンディショナの不揮発性メモリに記憶されたデータを自機の前記不揮発性メモリに複製記憶可能に構成されていることを特徴とするパワーコンディショナ。
【発明の詳細な説明】
【技術分野】
【０００１】
本発明は、太陽電池パネルなどの発電部から入力する発電電力を変換するためのパワーコンディショナに関する。
【背景技術】
【０００２】
従来の太陽光発電システム用のパワーコンディショナ（以下、「ＰＣＳ」という。）の制御基板上には、例えば下記の特許文献１にも開示されているように、ＰＣＳの整定値、発電履歴、系統電圧上昇履歴等の各データを書き換え可能に記憶する不揮発性メモリが実装されている。ＰＣＳの故障や耐用年数の経過等によってＰＣＳを交換する必要が生じた場合、上記データを交換後の新しいＰＣＳの制御基板上の不揮発性メモリに複製する必要がある。
【先行技術文献】
【特許文献】
【０００３】
【特許文献１】特開平１０―２８８３７７号公報
【発明の概要】
【発明が解決しようとする課題】
【０００４】
しかし、ＰＣＳは、建物に設置された電源ブレーカーを介して系統に接続され、該電源ブレーカーに接続しなければＰＣＳ自体への電源供給もなされないが、電源ブレーカーの端子数に余裕が無い場合、交換前の古いＰＣＳと交換後の新しいＰＣＳとを同時に電源ブレーカに接続することができず、データの複製作業を行うことができない場合がある。
【０００５】
そこで、本発明は、電源ブレーカーの端子数に余裕がなくとも、簡単な作業で、交換前のＰＣＳから交換後のＰＣＳへのデータ複製作業を行えるようにすることを目的とする。
【課題を解決するための手段】
【０００６】
上記目的を達成するために、本発明は、次の技術的手段を講じた。
【０００７】
すなわち、本発明は、電力変換部と該電力変換部の動作を制御する制御部とを備え、該制御部はメイン基板とサブ基板とを備え、メイン基板及びサブ基板にはそれぞれマイコンが実装され、メイン基板のマイコンは書き換え可能不揮発性メモリを備えるＰＣＳにおいて、メイン基板からサブ基板に電源を供給する電源供給配線と、両基板のマイコン同士を通信可能に接続する通信配線とをさらに備え、メイン基板には前記電源供給配線及び前記通信配線が着脱自在に接続されるコネクタが設けられており、前記電源供給配線及び前記通信配線を前記コネクタから外して該コネクタと他のＰＣＳのメイン基板のコネクタとを配線接続した状態で、前記メイン基板から他のＰＣＳのメイン基板に電源供給可能となるとともに両メイン基板のマイコン同士が通信可能となり、メイン基板のマイコンは、電源を供給される側であるとき前記不揮発性メモリに記憶されたデータを電源供給する側のメイン基板のマイコンに送信する機能と、電源を供給する側であるとき電源を供給される側のメイン基板のマイコンから前記データを受信して前記不揮発性メモリに記憶する機能を具備していることを特徴とするものである（請求項１）。
【０００８】
かかる本発明のＰＣＳによれば、故障等により旧ＰＣＳ（他のＰＣＳ）を新ＰＣＳに交換する場合などにおいて、旧ＰＣＳを電源ブレーカーから取り外して新ＰＣＳを電源ブレーカーに接続し、新ＰＣＳのメイン基板とサブ基板とを接続する電源供給配線及び通信配線をメイン基板のコネクタから外し、データ複製用のハーネスを介して新ＰＣＳのメイン基板のコネクタと旧ＰＣＳのメイン基板のコネクタとを配線接続することによって、旧ＰＣＳを電源ブレーカーに接続せずとも旧ＰＣＳのメイン基板に電源供給して動作させることができ、通常動作時にメイン基板とサブ基板とを接続するためのコネクタを流用するものであるため新旧ＰＣＳの接続用の別途のコネクタも必要でなく装置構成の簡素化やコスト低減を図ることができ、さらに、電源供給される側から電源供給する側へデータを複製するものとしたので電源供給される側を旧ＰＣＳとすることができ、旧ＰＣＳの電力変換部が故障している場合でもデータ複製を実施させることが可能となる。
【０００９】
また、本発明は、電力変換部と該電力変換部の動作を制御する制御部とを備え、該制御部はメイン基板とサブ基板とを備え、メイン基板及びサブ基板にはそれぞれマイコンが実装され、メイン基板のマイコンは書き換え可能不揮発性メモリを備えるＰＣＳにおいて、メイン基板からサブ基板に電源を供給する電源供給配線と、両基板のマイコン同士を通信可能に接続する通信配線とをさらに備え、メイン基板及びサブ基板には前記電源供給配線及び前記通信配線が着脱自在に接続されるコネクタがそれぞれ設けられており、サブ基板のマイコンは、メイン基板の前記不揮発性メモリに記憶されたデータのコピーを記憶保持可能な書き換え可能不揮発性メモリを備え、メイン基板のマイコンは、メイン基板の前記不揮発性メモリに記憶されたデータをサブ基板のマイコンに送信する機能を具備し、サブ基板のマイコンは、メイン基板のマイコンから前記データを受信してサブ基板の前記不揮発性メモリに記憶する機能を具備し、さらに、サブ基板のマイコンは、サブ基板の前記不揮発性メモリに記憶されたデータをメイン基板のマイコンに送信する機能を具備し、メイン基板のマイコンは、サブ基板のマイコンから前記データを受信してメイン基板の前記不揮発性メモリに記憶する機能を具備することを特徴とするものである（請求項２）。
【００１０】
かかる本発明のＰＣＳによれば、故障等により旧ＰＣＳ（他のＰＣＳ）を新ＰＣＳに交換する場合などにおいて、旧ＰＣＳを電源ブレーカーから取り外して新ＰＣＳを電源ブレーカーに接続し、新ＰＣＳのメイン基板と旧ＰＣＳのサブ基板とを電源供給配線及び通信配線を介して配線接続することによって、旧ＰＣＳを電源ブレーカーに接続せずとも旧ＰＣＳのサブ基板に電源供給して動作させることができ、予め通常動作時に旧ＰＣＳのメイン基板からサブ基板にデータ退避させておくことによって旧ＰＣＳから新ＰＣＳのメイン基板の不揮発性メモリにデータを複製させることができ、通常動作時にメイン基板とサブ基板とを接続するためのコネクタを流用するものであるため新旧ＰＣＳの接続用の別途のコネクタも必要でなく装置構成の簡素化やコスト低減を図ることができ、さらに、電源供給される側から電源供給する側へデータを複製するものとしたので電源供給される側を旧ＰＣＳとすることができ、旧ＰＣＳの電力変換部が故障している場合でもデータ複製処理を実施させることが可能となる。
【００１１】
また、本発明は、電力変換部と該電力変換部の動作を制御する制御部とを備え、該制御部は書き換え可能不揮発性メモリと電源入出力端子と通信端子とを備えるＰＣＳにおいて、前記制御部は、前記電源入出力端子を介して電源供給している他のＰＣＳの制御部と前記通信端子を介して通信することにより、他のＰＣＳの不揮発性メモリに記憶されたデータを自機の前記不揮発性メモリに複製記憶可能に構成されていることを特徴とするものである（請求項３）。
【００１２】
かかる本発明のＰＣＳによれば、故障等により旧ＰＣＳ（他のＰＣＳ）を新ＰＣＳに交換する場合などにおいて、旧ＰＣＳを電源ブレーカーから取り外して新ＰＣＳを電源ブレーカーに接続し、新ＰＣＳの制御部と旧ＰＣＳの制御部とを電源入出力端子及び通信端子を介して配線接続することによって、旧ＰＣＳを電源ブレーカーに接続せずとも旧ＰＣＳの制御部に電源供給して動作させることができ、旧ＰＣＳから新ＰＣＳの不揮発性メモリにデータを複製させることができ、さらに、電源供給される側から電源供給する側へデータを複製するものとしたので電源供給される側を旧ＰＣＳとすることができ、旧ＰＣＳの電力変換部が故障している場合でもデータ複製処理を実施させることが可能となる。
【発明の効果】
【００１３】
本発明の請求項１に係るＰＣＳによれば、故障等により旧ＰＣＳ（他のＰＣＳ）を新ＰＣＳに交換する場合などにおいて、旧ＰＣＳを電源ブレーカーから取り外して新ＰＣＳを電源ブレーカーに接続し、新ＰＣＳのメイン基板とサブ基板とを接続する電源供給配線及び通信配線をメイン基板のコネクタから外し、データ複製用のハーネスを介して新ＰＣＳのメイン基板のコネクタと旧ＰＣＳのメイン基板のコネクタとを配線接続することによって、旧ＰＣＳを電源ブレーカーに接続せずとも旧ＰＣＳのメイン基板に電源供給して動作させることができ、通常動作時にメイン基板とサブ基板とを接続するためのコネクタを流用するものであるため新旧ＰＣＳの接続用の別途のコネクタも必要でなく装置構成の簡素化やコスト低減を図ることができ、さらに、電源供給される側から電源供給する側へデータを複製するものとしたので電源供給される側を旧ＰＣＳとすることができ、旧ＰＣＳの電力変換部が故障している場合でもデータ複製を実施させることが可能となる。
【００１４】
本発明の請求項２に係るＰＣＳによれば、故障等により旧ＰＣＳ（他のＰＣＳ）を新ＰＣＳに交換する場合などにおいて、旧ＰＣＳを電源ブレーカーから取り外して新ＰＣＳを電源ブレーカーに接続し、新ＰＣＳのメイン基板と旧ＰＣＳのサブ基板とを電源供給配線及び通信配線を介して配線接続することによって、旧ＰＣＳを電源ブレーカーに接続せずとも旧ＰＣＳのサブ基板に電源供給して動作させることができ、予め通常動作時に旧ＰＣＳのメイン基板からサブ基板にデータ退避させておくことによって旧ＰＣＳから新ＰＣＳのメイン基板の不揮発性メモリにデータを複製させることができ、通常動作時にメイン基板とサブ基板とを接続するためのコネクタを流用するものであるため新旧ＰＣＳの接続用の別途のコネクタも必要でなく装置構成の簡素化やコスト低減を図ることができ、さらに、電源供給される側から電源供給する側へデータを複製するものとしたので電源供給される側を旧ＰＣＳとすることができ、旧ＰＣＳの電力変換部が故障している場合でもデータ複製処理を実施させることが可能となる。
【００１５】
本発明の請求項３に係るＰＣＳによれば、故障等により旧ＰＣＳ（他のＰＣＳ）を新ＰＣＳに交換する場合などにおいて、旧ＰＣＳを電源ブレーカーから取り外して新ＰＣＳを電源ブレーカーに接続し、新ＰＣＳの制御部と旧ＰＣＳの制御部とを電源入出力端子及び通信端子を介して配線接続することによって、旧ＰＣＳを電源ブレーカーに接続せずとも旧ＰＣＳの制御部に電源供給して動作させることができ、旧ＰＣＳから新ＰＣＳの不揮発性メモリにデータを複製させることができ、さらに、電源供給される側から電源供給する側へデータを複製するものとしたので電源供給される側を旧ＰＣＳとすることができ、旧ＰＣＳの電力変換部が故障している場合でもデータ複製処理を実施させることが可能となる。
【図面の簡単な説明】
【００１６】
【図１】本発明の第１実施形態に係るＰＣＳの通常動作時の配線状態を示す概略制御ブロック構成図である。
【図２】同ＰＣＳのデータ複製時の配線状態を示す概略制御ブロック構成図である。
【図３】本発明の第２実施形態に係るＰＣＳのデータ複製時の配線状態を示す概略制御ブロック構成図である。
【図４】本発明の第３実施形態に係るＰＣＳのデータ複製時の配線状態を示す概略制御ブロック構成図である。
【発明を実施するための形態】
【００１７】
以下、本発明の好適な実施形態を図面に基づいて説明する。
【００１８】
図１は、本発明の第１の実施形態に係るＰＣＳ（パワーコンディショナ）１の概略回路ブロック図を示しており、該ＰＣＳ１は太陽電池パネルなどの発電部２から入力する直流電力を系統電力に連系する交流電力に変換・調整する電力変換部３と、該電力変換部３の動作を制御する制御部４とを備えている。
【００１９】
電力変換部３は従来周知の構成であるので詳細説明を省略するが、主として、発電部２から入力する直流電力を系統電圧に対応する所定電圧に昇圧してＤＣリンク部３１に出力するコンバータ３２と、ＤＣリンク部３１から入力する直流電力を交流電力に変換して系統への出力部に出力するインバータ３３と、これらコンバータ３２及びインバータ３３を駆動する駆動回路３４とにより構成されており、駆動回路３４からコンバータ３２及びインバータ３３に出力される駆動信号が制御部４によって制御される。また、電力変換部３の上記出力部は、電源ブレーカー（図示省略）を介して系統に接続され、該電源ブレーカーの通電時には系統電力が出力部に供給される。この出力部には、交流の系統電力を整流・降圧することにより駆動回路３４及び制御部４の動作用の１２Ｖ直流電源電圧を出力する電源回路３５が設けられている。
【００２０】
制御部４は、電力変換部３の動作制御を主に行うメイン基板５と、表示部や操作部の入出力制御や外部機器との通信制御などを主に行うサブ基板６とを備えている。メイン基板５上には、ＣＰＵ５１及びＥＥＰＲＯＭ５２（書き換え可能不揮発性メモリ）を有するマイコンが実装されている。ＥＥＰＲＯＭ５２には、電力変換部３の動作制御用の各種整定値が記憶されており、該整定値は、動作履歴に基づいてＣＰＵ５１により随時補正して書き換えることができる。メイン基板５には電力変換部３の上記電源回路３５から１２Ｖ電源電圧が供給され、該供給電源電圧を三端子レギュレータ５３によって制御回路用電源電圧（５Ｖ）に降圧してＣＰＵ５１の電源端子Ｖｃｃに供給している。また、電力変換部３の出力部からメイン基板５に系統電圧が供給され、該系統電圧がフィルタ回路５４を介してＣＰＵ５１のＡ／Ｄ入力ポートからなる系統電圧入力ポートに入力されており、制御部４はこの入力波形に基づいて電力変換部３の動作制御を行うよう構成されている。また、図示していないが、ＣＰＵ５１には、ＤＣリンク部３１の電圧センサの検出信号、系統電力の電流センサの検出信号、過熱防止用温度センサの検出信号、漏電検知信号などの適宜の信号が入力され、これらに基づいて電力変換部３の動作制御を行ったり、動作履歴データをＥＥＰＲＯＭ５２に記憶させる処理を行う。
【００２１】
サブ基板６上には、ＣＰＵ６１により主構成されるマイコンが実装されているとともに、複数桁の７セグメント表示器からなる表示部６２、各種操作ボタンや操作スイッチなどからなる操作部６３、及び、ＣＰＵ６１が外部機器と通信するためのＲＳ４８５通信回路６４並びに二芯通信回路６５が設けられている。表示部６２はＣＰＵ６１によって表示制御される。操作部６３の操作状態はＣＰＵ６１によりダイナミックスキャンその他の適宜の方式によって検出可能に構成されている。二芯通信回路６５は、通信コネクタ６５ａ（通信端子）に接続される二芯通信線を介して外部機器との二芯通信を可能とするものである。
【００２２】
メイン基板５とサブ基板６とはワイヤーハーネス７を介して配線接続されている。該ワイヤーハーネス７は、メイン基板５からサブ基板６に１２Ｖ電源を供給する電源供給配線と、メイン基板５のグラウンドとサブ基板６のグラウンドとを接続するグラウンド接続配線と、メイン基板５のＣＰＵ５１のマイコン間送信ポートＴｘをサブ基板６のＣＰＵ６１のマイコン間受信ポートＲｘに接続する第１の通信配線と、サブ基板６のＣＰＵ６１のマイコン間送信ポートＴｘをメイン基板５のＣＰＵ５１のマイコン間受信ポートＲｘに接続する第２の通信配線とを一体に束ねたものとされている。メイン基板５及びサブ基板６には、ワイヤーハーネス７の各端部が着脱自在に接続されるコネクタ５ａ，６ａが設けられており、各コネクタ５ａ，６ａには、各基板５，６の１２Ｖ電源ラインに接続される電源端子（電源入出力端子）、グラウンドに接続されるＧＮＤ端子、各ＣＰＵ５１，６１の送信ポートＴｘに接続される送信端子（通信端子）及び受信ポートＲｘに接続される受信端子（通信端子）がそれぞれ設けられている。さらに、メイン基板５のコネクタ５ａには、ＣＰＵ５１の動作モード入力端子Ｍｏｄｅに接続される動作モード設定端子が設けられており、図１に示す通常の接続状態では動作モード入力端子Ｍｏｄｅはオープン端子とされており、また、動作モード入力端子Ｍｏｄｅは内部プルアップされている。
【００２３】
なお、上記各配線を別個独立に分離させることも可能である。また、本実施形態では、メイン基板５には、ＣＰＵ５１からのリセット信号Ｒｅｓｅｔによってコネクタ５ａの電源端子への電源供給を遮断可能なＭＯＳＦＥＴ５５（スイッチング素子）が設けられており、例えば、ＦＥＴ５５のゲートをプルダウンしておくことにより通常時は通電状態としておき、ＣＰＵ５１から出力されるリセット信号Ｒｅｓｅｔ（好ましくはオープンコレクタ出力）によってＦＥＴ５５のゲート電圧を上昇させることで通電を遮断させ、一時的にサブ基板６への電源供給を遮断させることによってサブ基板６のマイコンを再起動させることができるように構成されている。また、本実施形態のＦＥＴ５５は、ドレイン側からソース側への逆流を許容するよう構成されている。
【００２４】
電源供給配線を介してサブ基板６に供給された１２Ｖ電源電圧は、サブ基板６上に設けられた三端子レギュレータ６６によって制御回路用電源電圧（５Ｖ）に降圧してＣＰＵ６１の電源端子Ｖｃｃに供給されている。また、表示部６２、操作部６３及びＲＳ４８５通信回路６４にも、メイン基板５からの供給電源電圧（１２Ｖ）若しくは制御回路用電源電圧（５Ｖ）が供給され、かかる電源供給によって動作可能となされている。
【００２５】
一方、二芯通信回路６５は、二芯通信端子６５ａに接続される二芯通信線に供給される電源によって動作するよう構成されている。すなわち、二芯通信回路６５は、送信時には二芯通信線に印加される電源電圧に通信信号を重畳させ、受信時には電源電圧に重畳された通信信号を分離抽出することにより通信を行うように構成されている。さらに、本実施形態では、二芯通信線への電源供給源として動作可能とするため、二芯通信線に１２Ｖ電源電圧を印加させる二芯電源回路６７がサブ基板６に設けられている。該二芯電源回路６７は、二芯通信線の一方を１２Ｖ電源に遮断可能に接続するとともに他方をグラウンドに遮断可能に接続するリレーによって主構成され、該リレーとしてはラッチングリレーを用いることが好ましく、該リレーはＣＰＵ６１からの制御信号によって開閉動作する。リレーを遮断動作させるか通電動作させるかは、ディップスイッチ６８などの設定切換操作手段によって選択設定できるように構成されている。
【００２６】
さらに、本実施形態においては、メイン基板５のＣＰＵ５１が、電源投入時の動作モード入力端子Ｍｏｄｅの信号状態に基づいて、通常動作モード及び基板間データ複製モードのいずれかの動作モードで起動するように構成されている。より詳細には、電源投入時に動作モード入力端子ＭｏｄｅがＨＩＧＨ状態であれば通常動作モードで起動して、電力変換部３の動作制御を開始する。一方、電源投入時に動作モード入力端子ＭｏｄｅがＬＯＷ状態であれば、以下説明する基板間データ複製モードで起動し、電力変換部３の動作制御等の通常動作を行わないように制御構成している。
【００２７】
動作モード入力端子ＭｏｄｅがＬＯＷ状態となるのは、図２に示すように、上記ワイヤーハーネス７をメイン基板５のコネクタ５ａから取り外し、ＰＣＳの交換作業によって発電部２及び電源ブレーカーを介して電力系統に接続した新ＰＣＳ１Ａ（自機）のメイン基板５のコネクタ５ａと、発電部２及び電力系統から取り外した旧ＰＣＳ１Ｂ（他のＰＣＳ）のメイン基板５のコネクタ５ａとを、データ複製用ハーネス８を介して接続したときである。すなわち、データ複製用ハーネス８は、新ＰＣＳ１Ａのメイン基板５から旧ＰＣＳ１Ｂのメイン基板５に１２Ｖ電源を供給する電源供給配線と、新ＰＣＳ１Ａのメイン基板５のグラウンドと旧ＰＣＳ１Ｂのメイン基板５のグラウンドとを接続するグラウンド接続配線と、新ＰＣＳ１Ａのメイン基板５のＣＰＵ５１のマイコン間送信ポートＴｘを旧ＰＣＳ１Ｂのメイン基板５のＣＰＵ５１のマイコン間受信ポートＲｘに接続する第１の通信配線と、新ＰＣＳ１Ａのメイン基板５のＣＰＵ５１のマイコン間受信ポートＲｘを旧ＰＣＳ１Ｂのメイン基板５のＣＰＵ５１のマイコン間送信ポートＴｘに接続する第２の通信配線とを一体に束ねたものとされているとともに、各ＰＣＳ１Ａ，１Ｂのメイン基板５のコネクタ５ａの上記動作モード設定端子をグラウンド接続配線に短絡させる短絡部を備えており、該短絡部を介して各ＣＰＵ５１の動作モード入力端子Ｍｏｄｅをグラウンドに短絡させることによって該入力端子が強制的にＬＯＷ状態となる。また、かかるデータ複製用ハーネス８により配線接続した状態では、新ＰＣＳ１Ａのメイン基板５から旧ＰＣＳ１Ｂのメイン基板に電源供給されるとともに、両メイン基板５のＣＰＵ５１同士が通信可能に接続されることとなる。なお、データ複製用ハーネス８は、図２に図示されているように、上記第１の通信配線と第２の通信配線とが途中で交差されたクロスケーブルとなされている。
【００２８】
したがって、図２に示す配線接続状態で新ＰＣＳ１Ａの電源ブレーカをオンして新ＰＣＳ１Ａの電源を投入すると、新ＰＣＳ１Ａのメイン基板５のＣＰＵ５１は、動作モード入力端子ＭｏｄｅがＬｏｗ状態であることを認識して基板間データ複製モードで起動される。この基板間データ複製モードで起動されると、次に、ＣＰＵ５１の系統電圧入力端子に系統電圧が入力されているか、或いは、ＤＣリンク部３１の電圧検出信号入力値が所定の閾値以上である場合に、ＣＰＵ５１は主局（電源供給側）であると自動認識して、旧ＰＣＳ１Ｂのメイン基板５への電源供給を開始する。
【００２９】
電源供給が開始された旧ＰＣＳ１Ｂのメイン基板５のＣＰＵ５１もまた、動作モード入力端子ＭｏｄｅがＬｏｗ状態であることを認識して基板間データ複製モードで起動され、ＣＰＵ５１の系統電圧入力端子に系統電圧が入力されておらず、且つ、ＤＣリンク部３１の電圧検出信号入力値が所定の閾値未満である場合に、ＣＰＵ５１は従局（電源を供給される側）であると自動認識する。
【００３０】
主局であると自動認識した新ＰＣＳ１Ａのメイン基板５のＣＰＵ５１は、旧ＰＣＳ１ＢのＣＰＵ５１に対して通信確立要求信号を送信し、旧ＰＣＳ１ＢのＣＰＵ５１からアンサーがあれば基板間データ複製処理を開始する。すなわち、従局であると認識した旧ＰＣＳ１ＢのＣＰＵ５１においては、旧ＰＣＳ１Ｂ側のＥＥＰＲＯＭ５２に記憶されたデータを新ＰＣＳ１ＡのＣＰＵ５１に送信する機能を実現するためのプログラムが実行される一方、主局であると認識した新ＰＣＳ１ＡのＣＰＵ５１においては、旧ＰＣＳ１Ｂのメイン基板５のＣＰＵ５１から上記データを受信して新ＰＣＳ１Ａ側のＥＥＰＲＯＭ５２に記憶する機能を実現するためのプログラムが実行される。これらプログラムは予めＥＥＰＲＯＭ５２（又は、ＣＰＵ５１の図示しない内蔵ＲＯＭ）のプログラム記憶領域に実装されている。複製すべきデータの送受信がすべて完了すると、新ＰＣＳ１Ａのメイン基板５のＣＰＵ５１は、旧ＰＣＳ１Ｂへの電源供給を停止して、基板間データ複製モードを終了する。なお、基板間データ複製モードの終了により自動的に通常動作モードを開始させてもよく、また、ワイヤーハーネス７を通常通り接続し直して再起動することによって通常動作モードが開始されるように構成することもできる。
【００３１】
図３は、本発明の第２の実施形態を示すものであり、ＰＣＳ１の概略回路構成は上記第１実施形態と同様であるので同符号を付して詳細説明を省略し、制御構成やデータ複製時の配線状態の相違点について詳細に説明する。
【００３２】
本実施形態では、サブ基板６のＣＰＵ６１は、メイン基板５のＥＥＰＲＯＭ５２に記憶されたデータのコピーを記憶保持するに必要十分な容量の内蔵ＥＥＰＲＯＭ（書き換え可能不揮発性メモリ）を備えており、ＰＣＳ１の通常動作中に、操作部６３の所定の操作により、或いは、所定のタイミング（例えば毎日の定時や週に一度など）で自動的に、メイン基板５のＥＥＰＲＯＭ５２に記憶されたデータをサブ基板６のＣＰＵ６１内蔵ＥＥＰＲＯＭに一時的若しくは定常的に退避する処理を行うように各ＣＰＵ５１，６１が制御構成されている。すなわち、例えば通常動作中に操作部６３の所定の操作がなされると、サブ基板６のＣＰＵ６１はメイン基板５のＣＰＵ５１に対してデータ退避要求信号を送信し、メイン基板５のＣＰＵ５１が当該データ退避要求信号を受信すると、メイン基板５のＣＰＵ５１は通常動作制御を一時的に中断してバックアップ動作モードに移行する。バックアップ動作モードに移行すると、メイン基板５のＣＰＵ５１においては、メイン基板５のＥＥＰＲＯＭ５２に記憶されたデータをサブ基板６のＣＰＵ６１に送信する機能を実現するためのプログラムが実行される一方、サブ基板６のＣＰＵ６１においては、メイン基板５のＣＰＵ５１から上記データを受信してサブ基板６のＣＰＵ内蔵ＥＥＰＲＯＭに記憶する機能を実現するためのプログラムが実行される。これらプログラムは予め各ＥＥＰＲＯＭ（又は、図示しないＣＰＵ内蔵ＲＯＭ）のプログラム記憶領域に実装させておく。
【００３３】
ＰＣＳの交換作業時においては、図３に示すように、新ＰＣＳ１Ａのメイン基板５のコネクタ５ａと、上記のデータ退避処理がなされている旧ＰＣＳ１Ｂのサブ基板６のコネクタ６ａとをデータ複製用ハーネス９を介して接続する。なお、本実施形態のデータ複製用ハーネス９の配線構成は上記ワイヤーハーネス７と同一であり、ケーブル長が異なるのみであるので、通常動作時にメイン基板５とサブ基板６とを接続するワイヤーハーネス７が十分なケーブル長を有するならば当該ワイヤーハーネス７を用いて新旧ＰＣＳ１Ａ，１Ｂの上記コネクタ５ａ，６ａ同士を接続してもよい。
【００３４】
かかる配線接続によって、新ＰＣＳ１Ａのメイン基板５から旧ＰＣＳ１Ｂのサブ基板６に電源供給可能となるとともに、新ＰＣＳ１Ａのメイン基板５のＣＰＵ５１と旧ＰＣＳ１Ｂのサブ基板６のＣＰＵ６１とが通信可能に接続される。この状態で、新ＰＣＳ１Ａの電源ブレーカーをオンして電源投入すると、新ＰＣＳ１Ａのメイン基板５のＣＰＵ５１が通常動作モードで起動するとともに、旧ＰＣＳ１Ｂのサブ基板６のＣＰＵ６１が通常動作モードで起動する。
【００３５】
ここで旧ＰＣＳ１Ｂ側の操作部６３の所定の操作を行うと、メイン基板５のＣＰＵ５１及びサブ基板６のＣＰＵ６１が基板間データ複製モードに移行するように制御構成されており、この基板間データ複製モードに移行すると、旧ＰＣＳ１Ｂのサブ基板６のＣＰＵ６１においては、サブ基板６のＣＰＵ内蔵ＥＥＰＲＯＭに記憶されたデータをメイン基板５のＣＰＵ５１に送信する機能を実現するためのプログラムが実行されるとともに、新ＰＣＳ１Ａのメイン基板５のＣＰＵ５１においては、サブ基板６のＣＰＵ６１からデータを受信してメイン基板５のＥＥＰＲＯＭ５２に記憶する機能を実現するためのプログラムが実行され、結果的に、旧ＰＣＳ１Ｂのサブ基板６のＣＰＵ内蔵ＥＥＰＲＯＭに予め退避されていたデータが新ＰＣＳ１Ａのメイン基板５のＥＥＰＲＯＭ５２にデータ複製されることとなる。
【００３６】
図４は本発明の第３実施形態を示しており、本実施形態では、メイン基板５に上記コネクタ５ａの電源端子とは別の電源入出力端子５ｂが設けられており、該電源入出力端子５ｂを介して他の機器に電源供給配線１０を介して１２Ｖ電源を供給可能であるとともに他の機器から電源供給を受けることが可能に構成されている。その他の構成は第１及び第２実施形態と同様である。
【００３７】
本実施形態では、ＰＣＳの交換作業の際、新ＰＣＳ１Ａを発電部２及び電源ブレーカーに接続し、該新ＰＣＳ１Ａの電源入出力端子５ｂと旧ＰＣＳ１Ｂの電源入出力端子５ｂとを電源供給配線１０により接続することで、新ＰＣＳ１Ａのメイン基板５から旧ＰＣＳ１Ｂのメイン基板に電源供給可能に構成する。また、新ＰＣＳ１Ａのサブ基板６の二芯通信端子６５ａ（通信端子）と旧ＰＣＳ１Ｂのサブ基板６の二芯通信端子６５ａとを二芯通信線１１を介して接続する。また、新ＰＣＳ１Ａのサブ基板６のディップスイッチ６８を、当該サブ基板６から二芯通信線１１に電源供給するべくリレーを通電動作させる設定とし、二芯電源回路６７から１２Ｖ電源電圧を自機の二芯通信回路６５に供給する。一方、旧ＰＣＳ１Ｂのサブ基板６のディップスイッチ６８を、当該サブ基板６から二芯通信線１１に電源供給しないように二芯電源回路６７のリレーを遮断させる設定とし、これにより、新ＰＣＳ１Ａのメイン基板５から旧ＰＣＳ１Ｂのメイン基板５を経由して旧ＰＣＳ１Ｂのサブ基板６に供給される電源と逆極性で接続されてしまうことを回避できる。
【００３８】
以上の接続及び設定を行った後、新ＰＣＳ１Ａの電源ブレーカーをオンして新ＰＣＳ１Ａの電源を投入すると、新ＰＣＳ１Ａのメイン基板５及びサブ基板６に電源供給されてこれらのマイコンが起動するとともに、電源供給配線１０を介して旧ＰＣＳ１Ｂのメイン基板５及びサブ基板６にも電源供給されるが、旧ＰＣＳ１Ｂのサブ基板６の二芯通信回路６５には、新ＰＣＡ１Ａのサブ基板６の二芯電源回路６７から二芯通信線１１を介して電源供給される。
【００３９】
かかる起動後、新ＰＣＳ１Ａ及び旧ＰＣＳ１Ｂのいずれかのサブ基板６の操作部６３の所定の操作がなされると、新旧ＰＣＳ１Ａ，１Ｂのメイン基板５及びサブ基板６のそれぞれのＣＰＵ５１，６１が基板間データ複製モードに移行し、上記第１実施形態と同様に系統電圧が入力されているか否かに基づいてデータの複製方向を判定して、系統に接続されていない旧ＰＣＳ１Ｂのメイン基板５のＥＥＰＲＯＭ５２に記憶されたデータを、まず旧ＰＣＳ１Ｂのメイン基板５とサブ基板６との基板間通信によって旧ＰＣＳ１Ｂのサブ基板６のＣＰＵ内蔵ＥＥＰＲＯＭに複製し、次に新ＰＣＳ１Ａのサブ基板６と旧ＰＣＳ１Ｂのサブ基板６との間の二芯通信によって新ＰＣＳ１Ａのサブ基板６のＣＰＵ内蔵ＥＥＰＲＯＭに複製し、次に新ＰＣＳ１Ａのメイン基板５とサブ基板６との基板間通信によって新ＰＣＳ１Ａのメイン基板５のＥＥＰＲＯＭ５２に複製することで、必要なデータがすべて新ＰＣＳ１ＡのＥＥＰＲＯＭ５２に記憶されれば基板間データ複製モードを終了するよう制御構成されている。
【００４０】
本実施形態によれば、メイン基板５及びサブ基板６により構成される新ＰＣＳ１Ａの制御部４が、電源入出力端子５ｂを介して電源供給している旧ＰＣＳ１Ｂの制御部４と二芯通信端子６５ａを介して通信することにより、旧ＰＣＳ１Ｂのメイン基板５のＥＥＰＲＯＭ５２に記憶されたデータを新ＰＣＳ１Ａのメイン基板５のＥＥＰＲＯＭ５２に複製記憶可能に構成されているので、新旧ＰＣＳ１Ａ，１Ｂの２台を同時に電源ブレーカに接続することなく基板間データ転送を実現することができる。
【００４１】
本発明は上記実施形態に限定されるものではなく、適宜設計変更できる。例えば、電力変換部３からメイン基板５に供給される電源は、ＤＣリンク部３１の電力を変換することにより供給することもできる。
【符号の説明】
【００４２】
１  パワーコンディショナ（ＰＣＳ）
１Ａ  新ＰＣＳ（自機）
１Ｂ  旧ＰＣＳ（他のパワーコンディショナ）
２  発電部
３  電力変換部
４  制御部
５  メイン基板
５ａ  コネクタ
５ｂ  電源入出力端子
５１  ＣＰＵ（マイコン）
５２  ＥＥＰＲＯＭ（書換可能不揮発性メモリ）
６  サブ基板
６ａ  コネクタ
６１  ＣＰＵ（マイコン）
６５ａ  通信端子
【図１】
2016046968.tif 000003
【図２】
2016046968.tif 000004
【図３】
2016046968.tif 000005
【図４】
2016046968.tif 000006